(57)【要約】      （修正有）【課題】照明装置を解体容易な構造にした場合でも、リサイクル以外の目的等で不必要な解体が行われることを抑止することができる照明装置を得る。【解決手段】照明装置１に、給電路切断機構１７を設ける。給電路切断機構１７は、一方向クラッチ４８と、切断対象部１０１と、紐部材とを含む。切断対象部１０１内には、ＡＣ／ＤＣ変換部６１と電圧制御部６３とを接続する給電路が形成されている。照明装置１の解体時に、ねじ部材４６が結合解除方向に回転すると、一方向クラッチ４８がねじ部材４６とともに回転し、紐部材を巻き取る。その紐部材によって、切断対象部１０１内の給電路が切断され、ＬＥＤモジュール１１が点灯しなくなる。そのため、リサイクル時以外に照明装置１が解体されることを抑止することができる。【選択図】図１
2011060579.tif 000002
【特許請求の範囲】
【請求項１】
複数の構成部材の組み付け体である筐体と、
固体発光素子を有し、前記筐体に含まれる前記構成部材に取り付けられた発光モジュールと、
前記発光モジュールの取り付けにおいて前記発光モジュールを前記構成部材に結合させ、または、前記複数の構成部材の組み付けにおいて前記複数の構成部材のうちの２つを結合させ、結合解除操作がなされた場合に前記結合を解除する結合具と、
その結合具と機械的に連係させられることによって結合解除操作に伴う前記結合具の解除動作に連動して作動し、前記固体発光素子に供給される電力の給電路を切断する給電路切断機構と
を含むことを特徴とする照明装置。
【請求項２】
前記給電路切断機構が、
結合解除操作時に前記結合具によって動作させられる動作部と、
その動作部と前記給電路の一部を構成する部品とを連結し、前記動作部の動作に連動して前記部品を取り外すことによって前記給電路を切断する連結部と
を有する請求項１に記載の照明装置。
【請求項３】
前記結合具が、ねじ部材であり、
前記動作部が、前記ねじ部材に外嵌させられ、そのねじ部材が結合解除方向に回転させられた場合に前記ねじ部材によって回転させられる一方向クラッチであり、
前記連結部が、一方の端部が前記一方向クラッチに接続されるとともに他方の端部が前記給電路の一部を構成する部品に接続され、結合解除操作時に前記一方向クラッチの回転によって巻き取られて前記部品を取り外す紐状部材である請求項２に記載の照明装置。
【請求項４】
前記一方向クラッチが、前記ねじ部材に相対回転不能に外嵌させられた内周回転子と、その内周回転子の外周に設けられた外周回転子とを有し、
前記内周回転子と前記外周回転子とが、一方向に相対回転可能かつ他方向に相対回転不能にされるとともに、前記ねじ部材の軸方向において相対移動可能にされ、
前記紐状部材が前記外周回転子に接続された請求項３に記載の照明装置。
【請求項５】
前記給電路切断機構が、
前記給電路の一部を構成するとともに切断の対象となる部分である切断対象部を備え、
その切断対象部が、前記給電路に接続される２つの端子部と、それら２つの端子部を電気的に接続する接続部とを有し、
２つの端子部のうちの少なくとも一方と前記接続部とが、接触によって導通させられることで切断容易にされた請求項１から４のいずれか１項に記載の照明装置。
【請求項６】
前記給電路切断機構が、
前記給電路の一部を構成するとともに切断の対象となる部分である切断対象部を備え、
その切断対象部が、前記給電路に接続される２つの端子部と、それら２つの端子部を電気的に接続する接続部とを有し、
前記接続部が、前記２つの端子部よりも断面積の小さい脆弱部を有することで切断容易にされた請求項１から５のいずれか１項に記載の照明装置。
【請求項７】
前記筐体が、前記複数の構成部材の１つとして、前記発光モジュールを支持する基台を含み、
前記給電路切断機構が、
前記基台と前記発光モジュールとの間に介設される介設板部と、その介設板部を前記発光モジュール側に折り曲げる向きに付勢する弾性部材とを備え、
前記介設板部が、
前記発光モジュールの一端部側の第１部分が固定される第１板状部材と、
前記発光モジュールの他端部側の第２部分が固定される第２板状部材と、
前記第１部材と第２部材とを回動可能に連結する連結部材と
を有し、
前記第１板状部材は、前記弾性部材と係合してその弾性部材を弾性変形させた状態で、前記発光モジュールの第１部分とともに前記結合具によって前記基台に結合され、
前記第２板状部材と前記発光モジュールの第２部分とが前記基台に固定された状態で結合解除操作がなされた場合に、前記第１板状部材が前記弾性部材の復元力によって前記基台から離間する向きに回動させられて前記発光モジュールを折り曲げて破断させ、前記発光モジュール内の給電路を切断する請求項１に記載の照明装置。
【請求項８】
前記給電路のうちの切断対象となる部分が、配線または電子回路部品である請求項１〜６のいずれかに記載の照明装置。
【請求項９】
さらに、交流電力を直流電力に変換するＡＣ／ＤＣ変換部と、そのＡＣ／ＤＣ変換部から出力された直流電力の電圧を調整する電圧制御部とを有し、前記発光モジュールに電力を供給して点灯させる点灯回路ユニットを含み、
前記ＡＣ／ＤＣ変換部と前記電圧制御部との間の配線と、前記電圧制御部と前記発光モジュールとの間の配線との少なくとも一方が、前記給電路のうちの切断対象となる部分とされた請求項１〜６のいずれか１項に記載の照明装置。
【請求項１０】
前記筐体が、前記複数の構成部材の一部として、
前記発光モジュールが取り付けられた第１構成部材またはその第１構成部材に固定された第２構成部材と、前記発光モジュールを覆う透光性の第３構成部材とを有し、
前記第１構成部材または前記第２構成部材と、前記第３構成部材とが、前記結合具によって結合された請求項１〜６のいずれか１項に記載の照明装置。
【発明の詳細な説明】
【技術分野】
【０００１】
本発明は、固体発光素子を用いる照明装置に関し、特に不必要な解体を抑止することができる照明装置に関する。
【背景技術】
【０００２】
従来の照明用光源は、白熱電球（ハロゲン電球を含む）・蛍光ランプ・HIDランプ（高圧ナトリウムランプ・水銀ランプ・メタルハライドランプ）などである。最近、固体発光素子である発光ダイオード（LED）と有機EL発光デバイス（有機LED）が照明用光源として使用され始めている。特に、照明用光源としての発光ダイオードの場合には、その発光効率が高まるに従い、電球代替形状の照明装置や、蛍光ランプ用照明装置を模した照明装置などが検討されている。
【０００３】
固体発光素子は、エネルギー消費量が少なく、今後、照明用光源として使用される割合が飛躍的に高まると予測される。そうすると、固体発光素子を用いた照明装置が大量に使用されるとともに、使用期間を終えた固体発光素子を用いた照明装置が大量に廃棄されることとなる。そのような状況下では、照明装置に組み込まれた固体発光素子を回収し、資源のリサイクルを図る必要がある。
【０００４】
発光ダイオードには、GaAs系やGaP系などのガリウム系半導体が用いられている。ここで、ガリウム系半導体が盛んに用いられている通信用電子デバイス（例えば、携帯電話用）産業におけるガリウムのリサイクルの状況について述べる。通信用電子デバイス産業では、製造プロセスで生じたスクラップ分を対象にして、使用量の約60〜70%のガリウムが回収されているが、製品スクラップについてはリサイクル工程が煩雑であるためガリウムの回収割合が少ない。この通信用電子デバイスの事例からは、製品スクラップからのリサイクルを促進することが必要であることが分かる。製品スクラップからのリサイクルを容易にするためには、まず、解体容易な電気製品を生産することが望ましい。
【０００５】
下記特許文献１〜４には、リサイクルに配慮し電気製品やその構成部品の解体容易性を図る技術が記載されている。下記特許文献１、２では、係合爪を活用し、ねじの使用本数を少なくするといった方法によって解体容易性が図られている。下記特許文献３，４では、筐体内部に筐体を破壊する機構を組み込み、あるいは、水素により脆化する材料によって異種材料（金属と樹脂等）を接合することで解体容易性が図られている。このような技術によれば、電気製品の解体を容易にし、目的の部品を取り出しやすくすることができると考えられる。
【０００６】
また、下記特許文献５には、２つの筐体を結合させる締結具に関し、筐体の結合が解除される場合に締結具が破壊されて筐体に留まり、筐体が開封された痕跡を残すことが記載されている。
【先行技術文献】
【特許文献】
【０００７】
【特許文献１】特許２６１５９８１公報
【特許文献２】特許２８９０３７２公報
【特許文献３】特開平８−２７４４７６公報
【特許文献４】特開平１０−２６１８６６公報
【特許文献５】特開２００６−１５００４４公報
【非特許文献】
【０００８】
【非特許文献１】南博志著「レアメタル2007(6)  ストロンチウム及びガリウムの需要・供給・価格動向等」金属資源レポート  ２００８年
【発明の概要】
【発明が解決しようとする課題】
【０００９】
固体発光素子は、その将来可能性を含めてエネルギー消費量が少ないことに加え、従来から多く用いられてきた蛍光ランプ等の照明用光源よりも寿命が長いという長所を有している。なお、有機EL発光デバイスでは、現時点で光出力の大きさや光束劣化の寿命の短さの点に課題を残すものの、照明用光源としての寿命は将来的には大幅に延長されると予想されている。
【００１０】
このように照明装置に用いる固体発光素子の寿命は非常に長く、あるいは、将来的に長くなるため、基本的に、照明装置に組み込まれる照明用光源が一度も交換されない方針で設計された照明装置が増えていく可能性が高い。つまり、照明装置の照明用光源を取り換える必要がなく、照明装置から照明用光源を容易に取り外せるように設計する必要がないのである。さらに、製品の動作信頼性や安全性の面から、不必要に照明装置を解体して、照明装置から照明用光源を取り出したりできないようにすることが望ましい。
【００１１】
しかしながら、前述のように、今後、照明用に固体発光素子が大量に出荷されていくことを想定すると、将来、製品スクラップから固体発光素子を回収しやすくすることが必須となることが予想される。なお、有機EL発光デバイスのリサイクルについては言及しなかったが、これについても同様に、有機材料を分解したり、無機材料を回収したりする必要性が生じると予想される。
【００１２】
ところが、照明装置から照明用光源を容易に取り外せない場合には、市場から回収した照明装置製品から照明用光源を取り出すのに手間がかかり、リサイクルの妨げとなる。また、照明装置製品全体を破砕し、その破砕物からガリウムの抽出や有機EL化合物の分解処理を行うことも考えられるが、リサイクルに要するコストが増大するため実用的ではない。また、照明用光源だけでなく、筐体を構成する樹脂部材や金属部材等も効率的にリサイクルすることが望ましい。
【００１３】
したがって、リサイクルを効率よく行うためには、照明装置が容易に解体でき、照明装置から照明用光源を容易に取り外せることが望ましい。したがって、上記特許文献１〜４に記載されたような技術を用いて、リサイクル性を考慮した解体容易な照明装置が増加すると予測される。しかしながら、前述の動作信頼性等の観点からは、例えば、リサイクル以外の目的で照明装置を解体すること等の不必要な解体行為を抑止することが望ましい。特に、照明用光源の取り外しを抑止することが望ましい。
【００１４】
上記特許文献１〜４には、解体を容易にする技術は記載されているが、不必要な解体行為を抑止することは記載されていない。上記特許文献５に記載の締結具は、第三者の定期的な監視があれば不正な解体を抑止する効果はあるが、照明装置に関して不必要な解体を抑止する効果は期待できない。
本発明は、上記した課題に鑑み、リサイクル以外の目的で照明装置を解体する等の不必要な解体を抑止し得る照明装置を得ることを目的とする。
【課題を解決するための手段】
【００１５】
上記目的を達成するために、本発明に係る照明装置は、複数の構成部材の組み付け体である筐体と、固体発光素子を有し、前記筐体に含まれる前記構成部材に取り付けられた発光モジュールと、前記発光モジュールの取り付けにおいて前記発光モジュールを前記構成部材に結合させ、または、前記複数の構成部材の組み付けにおいて前記複数の構成部材のうちの２つを結合させ、結合解除操作がなされた場合に前記結合を解除する結合具と、その結合具と機械的に連係させられることによって結合解除操作に伴う前記結合具の解除動作に連動して作動し、前記固体発光素子に供給される電力の給電路を切断する給電路切断機構とを含むことを特徴とする。
【発明の効果】
【００１６】
本発明に係る照明装置は、結合解除操作に連動して給電路が切断されて発光モジュールが点灯しなくなるため、リサイクル以外の目的で照明装置を解体する等の不必要な解体行為を効果的に抑止し得る。照明装置が点灯不能になったとしても、リサイクルの対象は廃棄された照明装置であるから問題はないのである。点灯不能な状態には、全く点灯しない状態に加え、著しく照度が低下した状態も含まれる。なお、照明装置の説明書等には、解体すると点灯しなくなる旨の注意書きなどを付しておくことが望ましい。
【００１７】
結合具は、例えば、ねじ部材のように、結合解除操作によって容易に結合を解除できるものとされる。また、例えば、係合爪などを有するものであっても、何らかの解除操作によって結合が解除できればよい。また、例えば、リベット状のものであっても、脆弱な部分を破断させることによって結合が解除できるといったものでもよい。
なお、上記構成では、給電路切断機構と機械的に連係させられた結合具（特定結合具と称する）が発明特定事項の１つとされ、それ以外の結合具（一般結合具と称する）についての限定はない。しかしながら、一般結合具を用いないわけではなく、筐体に含まれる複数の構成部材の組み付けや、筐体への発光モジュールの取り付けに任意の一般結合具を用いることができる。その一般結合具は、結合解除操作によって容易に結合を解除できるものが望ましい。そして、複数の結合具のうち、一部の特定結合具に結合解除操作がなされた場合に、給電路が切断されて照明装置が点灯不能になることによっても、不必要な解体を抑止し得るのである。
【００１８】
結合解除操作は、例えば、ねじ部材を回転させる操作、結合ピンを引き抜く操作等である。給電路には、発光モジュールに電力を供給する配線が含まれる。また、照明装置に発光モジュールを点灯させるための電子回路部品が設けられている場合には、給電路に電子回路部品も含まれる。なお、給電路を導電経路と呼ぶこともできる。固体発光素子には、例えば、発光ダイオード（LED）、有機EL発光素子（有機LED）、半導体レーザーダイオード（LD）等が含まれる。
【００１９】
（１）さらに、本発明に係る照明装置を、前記給電路切断機構が、結合解除操作時に前記結合具によって動作させられる動作部と、その動作部と前記給電路の一部を構成する部品とを連結し、前記動作部の動作に連動して前記部品を取り外すことによって前記給電路を切断する連結部とを有するものとすることができる。
上記構成によれば、結合具になされた結合解除操作に連動して給電路を切断することができる。動作部の動作は、例えば、ねじ部材とともに回転する動作や、結合ピンとともに軸方向に移動する動作等である。また、動作部は、結合具と係合するものとすることや、結合具に接合されたものとすることができる。給電路の一部を構成する部品は、例えば、導電端子、電子回路部品、配線部材等とすることができる。なお、それらの部品を取り外す場合、それらの部品と給電路との電気的な接続が１か所でも途切れて、発光モジュールが点灯不能になればよく、完全に外れてしまうことは必須ではない。
【００２０】
（２）さらに、本発明に係る照明装置を、前記筐体が、前記複数の構成部材の１つとして、前記発光モジュールを支持する基台を含み、前記給電路切断機構が、前記基台と前記発光モジュールとの間に介設される介設板部と、その介設板部を前記発光モジュール側に折り曲げる向きに付勢する弾性部材とを備え、
前記介設板部が、前記発光モジュールの一端部側の第１部分が固定される第１板状部材と、前記発光モジュールの他端部側の第２部分が固定される第２板状部材と、前記第１部材と第２部材とを回動可能に連結する連結部材とを有し、
前記第１板状部材は、前記弾性部材と係合してその弾性部材を弾性変形させた状態で、前記発光モジュールの第１部分とともに前記結合具によって前記基台に結合され、
前記第２板状部材と前記発光モジュールの第２部分とが前記基台に固定された状態で結合解除操作がなされた場合に、前記第１板状部材が前記弾性部材の復元力によって前記基台から離間する向きに回動させられて前記発光モジュールを折り曲げて破断させ、前記発光モジュール内の給電路を切断するものとすることができる。
【００２１】
上記構成によれば、発光モジュールが取り外される場合に、発光モジュールを破壊することで、不必要な取り外しを抑止することができる。
【図面の簡単な説明】
【００２２】
【図１】実施形態１における照明装置１の側面断面図である。
【図２】照明装置１の平面図である。
【図３】ＬＥＤモジュール１１の斜視図である。
【図４】照明装置１の給電路切断機構１７の断面図である。
【図５】給電路切断機構１７の切断対象部１０１の断面図である。
【図６】一方向クラッチ４８の分解斜視図である。
【図７】一方向クラッチ４８の断面図である。
【図８】切断対象部１０１の導電ピン１１３が外れた状態を示す図である。
【図９】照明装置１の組み立て時において、一方向クラッチ４８に紐部材１０５を接合する状態を示す図である。
【図１０】実施形態１の変形例の一方向クラッチ１７１の断面図である。
【図１１】実施形態２における照明装置２０１の平面図である。
【図１２】実施形態２における照明装置２０１の側面断面図である。
【図１３】ＬＥＤモジュール１１の平面図である。
【図１４】ＬＥＤモジュール１１の回路図である。
【図１５】実施形態１の変形例のアダプタ２６１の斜視図である。
【図１６】アダプタ２６１の断面図である。
【図１７】実施形態３における照明装置３０１の側面断面図である。
【図１８】照明装置３０１の給電路切断機構３１７の断面図である。
【図１９】照明装置３０１の結合ピン３５１ａの断面図等である。
【図２０】実施形態４におけるＬＥＤモジュール１１、給電路切断機構５０１等を示す平面図である。
【図２１】実施形態４におけるＬＥＤモジュール１１、給電路切断機構５０１等を示す断面図である。
【図２２】実施形態４における被覆部材５７１等を示す平面図である。
【図２３】実施形態４におけるＬＥＤモジュール１１のＶカット５８３を示す断面図である。
【図２４】実施形態４における給電路切断機構５０１の作動を示す断面図である。
【発明を実施するための形態】
【００２３】
以下、本発明に係る照明装置の実施の形態について、図面を参照しながら説明する。
［実施形態１］
＜構成＞
図１、図２は、それぞれ照明装置１の側面断面図、照明装置１内部の平面図である。ここで、照明装置１の平面図（図２）は、照明装置１を天井等に取り付けた状態で被照射面側から照明装置１を見た場合の図である。図１は、図２のＡ−Ａ断面を示している。なお、照明装置１の被照射面側（図１の下側）を「前面側」、その反対側を「背面側」と称する。
【００２４】
照明装置１は、複数のＬＥＤモジュール１１と、それらＬＥＤモジュール１１を点灯させる点灯回路１３と、ＬＥＤモジュール１１及び点灯回路１３が収容されたケース１５と、結合解除時に給電路を遮断する給電路切断機構１７とを備える。
（ケースについて）
筐体たるケース１５は、複数の構成部材として、照明装置１の背面側を覆うケース本体２１（第２構成部材）と、ケース本体２１に保持された支持板２３（第１構成部材）と、照明装置１の前面側を覆うカバー部材２５（第３構成部材）とを含む。
【００２５】
基台たる支持板２３には、前面側にＬＥＤモジュール１１が取着され、背面側に点灯回路１３が取着されている。支持板２３は、熱伝導性の良好な材料（例えば、アルミニウム合金）によって形成されており、ＬＥＤモジュール１１の放熱器としても機能する。
ケース本体２１は、点灯回路１３を収容する収容部３１と、収容部３１の開口端から広がる枠体３３とを含む。枠体３３の内周部分には、支持板２３がねじ部材３４によって結合されている。また、複数のＬＥＤモジュール１１の配列方向において、枠体３３の外周部分にねじ穴３５が形成されている。
【００２６】
カバー部材２５は、例えば、透光性樹脂又はガラス等の透光性の材料からなり、ＬＥＤモジュール１１の出力光を前面側に透過させる。また、カバー部材２５の外表面は、梨地処理が施されており、ＬＥＤモジュール１１の出力光がカバー部材２５で拡散され白熱電球に近い配光パターンを得ることができる。
複数のＬＥＤモジュール１１の配列方向において、カバー部材２５の両端には、上記ねじ穴３５と対応する位置に貫通穴４１、４２が設けられている。カバー部材２５は、貫通穴４１、４２に挿入された結合具たるねじ部材４５、４６によって枠体３３と結合されている。
【００２７】
図１中左側のねじ部材４６は、一方向クラッチ４８と係合させられている。その一方向クラッチ４８については、後に説明する。なお、一方向クラッチ４８が配置された箇所には、枠体３３に凹部４９が形成されている。
（ＬＥＤモジュールについて）
図３に、発光モジュールたるＬＥＤモジュール１１を示す。ＬＥＤモジュール１１は、基板５１と、基板５１上に形成されたＬＥＤ実装部５３とを有している。基板５１は、アルミニウム等によって形成された金属層と、その上に積層された絶縁層（例えば、樹脂製）とを有している。ＬＥＤ実装部５３には、基板５１上に形成された配線パターンに複数のＬＥＤ素子５５が接続されている。また、基板５１には、メッキによって形成された配線パターン５７の一部と接続された接続端子５８が形成されている。
【００２８】
図示は省略するが、ＬＥＤ素子５５上には、ＬＥＤ素子５５が放射した光の波長を変換する波長変換機能を有する蛍光体を内封した樹脂層が形成されている。その蛍光体を内封した樹脂層が存在することにより、ＬＥＤモジュール１１から放射される光が白色になる。
（点灯回路について）
点灯回路１３は、商用電源から供給された交流電力を直流電力に変換するＡＣ／ＤＣ変換部６１と、そのＡＣ／ＤＣ変換部６１によって得られた直流電力の電圧を調整する電圧制御部６３とを含む。
【００２９】
ＡＣ／ＤＣ変換部６１には、外部からケース１５内に挿入された電源ケーブル６５が接続され、商用の交流電力が供給される。また、ＡＣ／ＤＣ変換部６１には、直流電力を出力する２本のリード線６７ａ，ｂが接続されている。そして、一方のリード線６７ａは電圧制御部６３に接続され、他方のリード線６７ｂは給電路切断機構１７に接続されている。また、給電路切断機構１７と電圧制御部６３とは、リード線６７ｃによって接続されている。すなわち、ＡＣ／ＤＣ変換部６１と電圧制御部６３とは、給電路切断機構１７を経由して接続されているのである。
【００３０】
電圧制御部６３によって適切な電圧に調整された直流電力は、２本のリード線７１ａ，ｂによってＬＥＤモジュール１１に供給される。それら２本のリード線７１ａ，ｂは、支持板２３に設けられた配線穴７３を通り、複数のＬＥＤモジュール１１の両端に配置された２つのものとそれぞれ接続されている。また、複数のＬＥＤモジュール１１は、図２に示すように、リード線７５ａ，ｂによって並列に接続されている。
【００３１】
以上のような接続により、電源ケーブル、リード線、点灯回路１３、ＬＥＤモジュール１１内の配線等を含む給電路が形成される。点灯回路１３から所定電圧の直流電力が複数のＬＥＤモジュール１１に供給され、複数のＬＥＤモジュール１１が発光する。なお、電源ケーブル、リード線は配線部材の一種である。
（給電路切断機構について）
図４に、給電路切断機構１７の断面図を示す。給電路切断機構１７は、給電路のうちの切断の対象となる部分である切断対象部１０１と、ねじ部材４６と係合させられた一方向クラッチ４８と、一方向クラッチ４８と切断対象部１０１とを連結する紐部材１０５（連結部）とを含む。
【００３２】
（切断対象部について）
図５に、切断対象部１０１の断面を示す。切断対象部１０１は、２つの導電片１１１と、それらを接続する導電ピン１１３と、導電片１１１と導電ピン１１３とを収容する収容器１１５とを含む。
端子部たる導電片１１１は、リング状に湾曲させられたリング状部１２１と、収容器１１５外部に延出するとともに支持板２３を貫通してリード線６７ｂ，ｃのいずれかと接続される端子部１２３とを含む。
【００３３】
接続部たる導電ピン１１３は、円柱形状を成しており、上記２つの導電片１１１のリング状部１２１に挿入され、２つの導電片１１１を電気的に接続する。すなわち、２つの導電片１１１と導電ピン１１３とが接触によって導通させられており、導電ピン１１３が取り外し容易にされているのである。また、導電ピン１１３の中央はわずかに直径が大きくされており（やや誇張して図示されている）、リング状部１２１から容易に抜けないようにされている。導電ピン１１３の一方向クラッチ４８側の端部には、溝１２５が形成されており、その溝１２５に紐部材１０５の端部が接着されている（図４）。
【００３４】
収容器１１５は、導電ピン１１３の軸方向に延びる直方体形状とされ、支持板２３に結合されている。また、収容器１１５の一方向クラッチ４８側には、紐部材１０５を通すスリット１３１が形成されている。さらに、２つの導電片１１１の一方向クラッチ４８側に、２つの導電片１１１から外された導電ピン１１３を収容する離脱ピン収容部１３３が形成されている（図４）。
【００３５】
なお、２つの導電片１１１と、収容器１１５および支持板２３とは、樹脂材料やエナメル塗料等の絶縁材によって、電気的に絶縁されている。
また、隣接する２つの導電片１１１は、絶縁を考慮し、1.5mm以上の空間距離を設けることが好ましい。
（一方向クラッチについて）
図６に、動作部たる一方向クラッチ４８の分解斜視図を示す。また、図７に、一方向クラッチ４８の断面を示す。
【００３６】
一方向クラッチ４８は、羽根車状の内周回転子１４１と、その内周回転子１４１の外周に配置された円筒状の外周回転子１４３とを含む。
内周回転子１４１は、ねじ部材４６の軸部１４５に固着され、ねじ部材４６と一体的に回転させられる。その内周回転子１４１は、ねじ部材４６の軸線を中心とする円の直径方向に対して周方向に傾斜して設けられた複数の羽根部１４７を有している。
【００３７】
外周回転子１４３は、貫通穴４２に挿入され、前面側のフランジ状の部分がカバー部材２５と係合することにより、枠体３３方向への移動が阻止されている。また、外周回転子１４３の内周部には、ねじ部材４６の軸線方向に複数の突条１４９が形成されている。
上記複数の羽根部１４７と複数の突条１４９とは、一方向の相対回転時に係合させられる。羽根部１４７は、可撓性を有しており、例えば、硬質ゴムや弾性変形し易い樹脂等によって形成されている。そのため、内周回転子１４１が右回りさせられた場合には、羽根部１４７が突条１４９と干渉しない位置まで内周側に撓み、内周回転子１４１と外周回転子１４３とが相対回転することができる。逆に、内周回転子１４１が左回りさせられた場合には、羽根部１４７が突条１４９によって逆立てられ、内周回転子１４１と外周回転子１４３との相対回転が阻止される。
【００３８】
このように、内周回転子１４１と外周回転子１４３とは、ねじ部材４６の締め付け方向にのみ（一方向にのみ）、相対回転が許容されている。なお、ねじ部材４６の取り外し方向の相対回転を厳密に阻止する必要はなく、多少相対回転してもよい（回転角度が数十度以内等）。
なお、外周回転子１４３は、カバー部材２５の貫通穴４２に一方向に回転可能に挿入されている。外周回転子１４３の外周壁には、係合溝１５１が軸線方向に延設されており、外周回転子１４３が右回りさせられた場合に、貫通穴４２の内周部に設けられた係止片１５３の先端部と係合溝１５１とが当接することによって係止される。一方、外周回転子１４３が左回りさせられた場合に、係止片１５３が撓み、凹部１５４に退避することで外周回転子１４３の回転が許容される。すなわち、外周回転子１４３は、ねじ部材４６の取り外し方向にのみ、回転が許容されている。
【００３９】
以上の構造により、一方向クラッチ４８において、外周回転子１４３は、ねじ部材４６の締め付け時には回転せず、取り外し時に回転させられるものとされている。
外周回転子１４３の先端部には、軸方向に延びるピン１５５が設けられている。このピン１５５には、連結部たる紐部材１０５の端部が結び付けられている。そのため、外周回転子１４３が回転させられると、ピン１５５と軸部１４５とによって紐部材１０５が巻き取られる。
【００４０】
＜作動＞
（結合解除について）
本実施形態における照明装置１の解体時の作動について説明する。
照明装置１を解体する場合、ドライバー等によって、ねじ部材４５、４６が順に結合解除方向に回転させられ（結合解除操作）、結合位置から結合解除位置に移動させられる。なお、４つのねじ部材４５、４６をどのような順序で取り外すかは任意である。
【００４１】
一方向クラッチ４８が取り付けられたねじ部材４６が結合解除方向に回転させられると、内周回転子１４１と外周回転子１４３とが係合し、外周回転子１４３がねじ部材４６とともに回転させられる。そして、ピン１５５と軸部１４５とによって紐部材１０５が巻き取られると、紐部材１０５の一端部に接続された導電ピン１１３が一方向クラッチ４８側に引っ張られて、導電ピン１１３が導電片１１１から引き抜かれる（図８参照）。すなわち、２つの導電片１１１間の導通が切断されるのである。なお、導電ピン１１３は、離脱ピン収容部１３３に収容され、収容器１１５外部に出ないようにされている。
【００４２】
なお、外周回転子１４３が引き続き回転させられ、導電ピン１１３は収容器１１５の一方向クラッチ４８側の壁面に当接し、移動できなくなる。さらには、紐部材１０５と導電ピン１１３との接着が外れ、あるいは、紐部材１０５が切れる。
このように、結合解除操作によって給電路が切断され、ＡＣ／ＤＣ変換部６１から電圧制御部６３に直流電力が供給されなくなるため、ＬＥＤモジュール１１が点灯不能になる。また、ねじ部材４６を結合方向に回転させて再度結合を行ったとしても、導電ピン１１３が導電片１１１から外れた状態が維持されるため、ＬＥＤモジュール１１は点灯しない。
【００４３】
以上のように、給電路切断機構１７は、一方向クラッチ４８によってねじ部材４６と機械的に連係させられており、ねじ部材５０５ａの結合解除方向への回転（解除動作）に連動して作動して、給電路を切断するのである
なお、内周回転子１４１と外周回転子１４３との軸線方向の相対移動が許容されている。そのため、結合時にねじ部材４６が外周回転子１４３と相対移動しながらねじ穴３５に進入し、結合解除時にねじ部材４６がねじ穴３５から抜け出るようにされている。なお、結合解除時に内周回転子１４１と外周回転子１４３とが係合することによって摩擦が大きくなり、外周回転子１４３がねじ部材４６とともに貫通穴４２から抜け出ることもあるが、紐部材１０５を引っ張る方向に移動しているので問題はない。
【００４４】
（組立について）
本照明装置１の組み立て方法を説明する。
支持板２３に、点灯回路１３および切断対象部１０１を取り付け、それらに各リード線６７、７１および電源ケーブル６５等をはんだ付け等によって接続する。その後、支持板２３をケース１５に結合し、支持板２３の前面側にＬＥＤモジュール１１を取り付ける。さらに、リード線７１、７５を所定のＬＥＤモジュール１１に接続する。
【００４５】
なお、組み立て時において、切断対象部１０１の導電ピン１１３は２つの導電片１１１に挿入されている。また、紐部材１０５は図４の状態よりも長くされている。
カバー部材２５を取り付ける前に、貫通穴４２を通して紐部材１０５をカバー部材２５の前面側に出しておく。そして、３つのねじ部材４５で仮止めする。
図９に示すように、外周回転子１４３を貫通穴４２に挿入する前に、ピン１５５に紐部材１０５を結ぶ。このとき、紐部材１０５が短くなるようにすることが望ましい。なお、紐部材１０５をピン１５５に接着してもよい。紐部材１０５を貫通穴４２の中に収納しつつ、外周回転子１４３を貫通穴４２に挿入する。その後、軸部１４１に外嵌した内周回転子１４１の羽根部１４７が、外周回転子１４３の突条１４９と干渉しないように、ねじ部材４６を外周回転子１４３の内周に挿入する。さらに、紐部材１０５を噛み込まないように注意して、軸部１４１の先端をねじ穴３５に螺合させる。その後、ねじ部材４６を結合解除方向に１回転ほど回転させて、紐部材１０５の弛みを巻き取る。なお、巻き取らずに弛ませておいてもよい。
【００４６】
最後に、ねじ部材４５，４６を絞め込む。
なお、ねじ部材４６を外周回転子１４３の内周に挿入した状態で、ねじ部材４６および外周回転子１４３を貫通穴４２に挿入することもできる。その組み立て法は、ねじ部材４６と一方向クラッチ４８とが、軸方向に相対移動不能にされている場合に好適である。
＜作用効果その他＞
本実施形態の照明装置１は、ねじ部材４５、４６による結合によってケース１５が組み立てられているため、ケース１５を廃棄する際に容易に解体することができる。
【００４７】
一方、不必要な解体が行われた場合には、給電路切断機構１７によって給電路が切断されるため、ＬＥＤモジュール１１が点灯不能になる。これにより、不必要な解体行為を抑止することができる。なお、照明装置あるいは説明書には、解体すると点灯しなくなる旨の注意書きなどを記載しておくことが望ましい。
本実施形態において、切断対象部１０１内に形成された給電路が切断されており、単にリード線６７等を切断する場合よりも望ましい。それは、固定されていないリード線６７を切断した場合、切断された部分が導電性を有する部分に接触すると電気が流れる可能性があるからである。
【００４８】
本実施形態の照明装置１は、一方向クラッチ４８を採用しているため、ねじ部材４６を結合方向（右回り）に回転させる場合には、外周回転子１４３は回転しない。よって、組み立て時に導電ピン１１３が外れることがなく、組み立てが容易である。
本実施形態において、ＡＣ／ＤＣ変換部６１と電圧制御部６３とをつなぐ給電路（リード線６７ｂ，ｃの間）に切断対象部１０１が設けられていたが、切断対象部１０１を別の部分に設けることもできる。例えば電源ケーブル６５によってＡＣ／ＤＣ変換部６１に交流電力を給電する給電路に切断対象部１０１を設けることができる。また、例えば、電圧制御部６３とＬＥＤモジュール１１とをつなぐ給電路（リード線７１）に切断対象部１０１を設けることができる。なお、電源ケーブル６５よりも上記給電路（リード線６７、リード線７１）のように、給電される電力の小さい部分に切断対象部１０１を設けることが望ましい。
【００４９】
本実施形態において、一方向クラッチ４８と係合させられたねじ部材４６が「特定結合具」であり、それ以外のねじ部材４５等が「一般結合具」である。
＜変形例＞
上記一方向クラッチ４８の羽根部１４７は、比較的弾性変形しやすいものであったが、内周回転子を弾性変形し難い材料（例えば、比較的合成の高い樹脂等）で形成することもできる。
【００５０】
図１０に、本変形例の一方向クラッチ１７１の断面を示す。
一方向クラッチ１７１は、歯車状の内周回転子１７３と、その内周回転子１７３の外周に配置された円筒状の外周回転子１７４とを含む。
内周回転子１７３は、ねじ部材４６の軸部１４５に固着され、ねじ部材４６と一体的に回転させられる。その内周回転子１７３は、周方向において非対称な形状の複数の歯１７５を有している。その歯１７５は、内周回転子１７３が右回りする場合において、回転方向における歯先の前方の歯面１７７の傾斜が小さくされ、後方の歯面１７８の傾斜が大きくされている（径方向に平行）。なお、上記歯面の傾斜は、内周回転子１７３の歯先円（あるいは歯元円等）の径方向と歯面とのなす角度が小さいほど、傾斜が大きくなる。
【００５１】
一方、外周回転子１７４には、内周回転子１７３の歯１７５と係合する係止片１８１が複数設けられている。その係止片１８１は、外周回転子１７４から概ね前方の歯面１７７に沿って内周側に延び出している。そして、内周回転子１７３が左回り（結合解除方向）に回転させられた場合に、歯面１７８と当接し、内周回転子１７３と外周回転子１７４との相対回転を阻止する。一方、内周回転子１７３が右回り（結合方向）に回転させられた場合に、係止片１８１は歯面１７７によって撓められ、凹部１７９に退避することで、内周回転子１７３と外周回転子１７４との相対回転を許容する。
【００５２】
この一方向クラッチ１７１によっても、ねじ部材４６の締め付け方向にのみ（一方向にのみ）、内周回転子１７３と外周回転子１７４との相対回転を許容することができる。また、内周回転子１７３が変形しにくいことから、大きなトルクにも対応し得る。
なお、外周回転子１７４には、上記外周回転子１４３と同様の係合溝１５１が形成されており、係止片１５３との係合によってねじ部材４６の締め付け時には回転せず、取り外し時に回転させられるものとされている。
【００５３】
本変形例および前記実施形態１において、係合溝１５１と係止片１５３とは、必須の構成要素ではない。例えば、ねじ部材４６の締め付け時に、紐部材１０５によって導電ピン１１３が導電片１１１から引き抜かれないようにすれば、係合溝１５１、係止片１５３等を省略することができる。
［実施形態２］
上記実施形態１において、給電路として、配線が切断されていたが、給電路の一部を構成する部品としての回路部品を取り外すことによっても、給電路を切断することができる。
【００５４】
図１１、図１２に、照明装置２０１の平面図、側面断面図を示す。
なお、本実施例の照明装置２０１は、上記実施形態１の照明装置１と共通する部分が多いため、同様の構成部品には実施形態１と同じ符号を付して説明を省略する。なお、実施形態１と同じ符号を付した構成部品には、形状や寸法が異なるが、機能が同じ構成部品も含まれる。照明装置２０１の被照射面側を「前面側」、その反対側を「背面側」と称する。
【００５５】
＜構成＞
図１３に示すように、照明装置２０１では、４つのＬＥＤモジュール２１１の各々に電子回路部品が設けられている。その電子回路部品には、給電路切断機構２１７の紐部材１０５が連結されている。そして、ねじ部材４６が結合解除操作によって左回りに回転させられた場合に、給電路の一部を構成する電子回路部品が取り外されて、給電路が切断され、ＬＥＤモジュール２１１が点灯しなくなる。
【００５６】
本実施形態において、２つの給電路切断機構２１７が設けられている。各給電路切断機構２１７には切断対象部１０１が設けられておらず、一方向クラッチ４８と紐部材１０５を備えたものとされている。なお、一方向クラッチ４８には、２つのＬＥＤモジュール２１１の電子回路部品に接着された２つの紐部材１０５ａ，ｂが連結されている。
点灯回路１３は、実施形態１と同じものであるが、図１２において、ＡＣ／ＤＣ変換部６１は電圧制御部６３の紙面奥側にあるため、図示を省略する。
【００５７】
（ＬＥＤモジュールの取り付け）
図１３には、ＬＥＤモジュール２１１が支持板２３に取り付けられた状態を示す。
ＬＥＤモジュール２１１は、複数の押さえ部材２２１によって基板５１の周縁部が固定されている。また、押さえ部材２２１は、ねじ部材２２３によって支持板２３に結合されている。
【００５８】
押さえ部材２２１は、ねじ部材２２３によって固定される平板部２３１と、平板部２３１の端部に立設された「逆Ｌ字部２３３」とを有する。逆Ｌ字部２３３は、基板５１の側面および上面（ＬＥＤ素子５５が設けられている方の主面）と当接することでＬＥＤモジュール２１１を固定している。
なお、実施形態１においても、係合具たる上記押さえ部材２２１とねじ部材２２３とを用いてＬＥＤモジュール１１を取り付けることができる。
【００５９】
（ＬＥＤモジュール）
ＬＥＤモジュール２１１は、前記実施形態１のＬＥＤモジュール１１と同じ基板５１、ＬＥＤ実装部５３、ＬＥＤ素子５５、接続端子５８を備えている。ＬＥＤモジュール２１１には、ＬＥＤ実装部５３と接続端子５８との間に、定電流回路部２４１が設けられている。この定電流回路部２４１は、複数のＬＥＤ素子５５に供給する電流を一定にし、ＬＥＤ素子５５の発光光度を安定化させるものである。
【００６０】
図１４に、ＬＥＤモジュール２１１の回路図を示す。
ＬＥＤ実装部５３は、合計６４個のＬＥＤ素子５５が８直８並という構成を有している。
定電流回路部２４１は、１つの抵抗素子２４３と２つのＮＰＮ型トランジスタ素子２４４、２４５とから構成された一般的な定電流回路を有している。具体的には、トランジスタ素子２４４のエミッタ−ベース間に抵抗素子２４３が挿入され、トランジスタ素子２４４のベースは、もう１つのトランジスタ素子２４５のエミッタと接続されている。そして、トランジスタ素子２４４のコレクタは、トランジスタ素子２４５のベースと接続されている。
【００６１】
トランジスタ素子２４５のベースは、ＩＮ側の接続端子５８ａおよびＬＥＤ実装部５３の一方の端子２５１と接続され、コレクタは、ＬＥＤ実装部５３のもう一方の端子２５３と接続されている。トランジスタ素子２４４のエミッタは、ＯＵＴ側の接続端子５８ｂと接続されている。
このようにして定電流回路部２４１は、ＬＥＤモジュール２１１における電力供給路中に挿入された状態で構成されており、電圧制御部６３から供給された電力を定電流制御して、定電流制御された電力がＬＥＤ実装部５３に供給される。即ち、定電流回路部２４１は、ＬＥＤモジュール２１１を発光駆動する際に、ＬＥＤ素子５５の光度安定化を図るための回路として機能する。
【００６２】
上記定電流回路部２４１のトランジスタ素子２４５に、紐部材１０５の端部が接着されている。
＜作動＞
給電路切断機構２１７の作動は、実施形態１の給電路切断機構１７と同じである。すなわち、ねじ部材４６が結合解除操作によって、結合解除方向に回転させられた場合に、一方向クラッチ４８の外周回転子１４３が回転させられて紐部材１０５を巻き取る。その結果、電子回路部品たるトランジスタ素子２４５が定電流回路から外され、ＬＥＤモジュール２１１が点灯しなくなる。すなわち、給電路が切断されたのである。
【００６３】
なお、１つの一方向クラッチ４８に２つの紐部材１０５が接続されている。そして、４つのＬＥＤモジュール２１１のうち、両端に配置されたＬＥＤモジュール２１１ａに連結された紐部材１０５ａの弛みは少なく、中央に配置されたＬＥＤモジュール２１１ｂに連結された紐部材１０５ｂの弛みは多くされている。そのため、結合解除操作時において、ＬＥＤモジュール２１１ａのトランジスタ素子２４５が外れた後、ＬＥＤモジュール２１１ｂのトランジスタ素子２４５が外れることとなる。このように、取り外しのタイミングをずらすことによって、比較的小さい力でトランジスタ素子２４５を取り外すことができる。
【００６４】
なお、組み立て方法についての説明は省略する。
＜作用効果その他＞
本実施形態の照明装置２０１によっても、実施形態１と同様な作用効果を奏することができる。また、本実施形態では、ＬＥＤモジュール２１１自体が使用できなくなるため、寿命が短くなったＬＥＤモジュール２１１を不当に流用するような事態を防止することができる。
【００６５】
なお、給電路切断機構２１７によって取り外しの対象となる電子回路部品、つまり、給電路の一部となる電子回路部品は、それを外すと導通が遮断され、ＬＥＤモジュール２１１が点灯不能になるものが望ましい。また、給電路の一部となる電子回路部品は、それを外すとＬＥＤモジュール２１１が点灯するが、著しく照度が低下するようなものでもよい。
【００６６】
なお、照明装置２０１に、上記実施形態１の変形例を適用することができる。
＜変形例＞
定電流回路部２４１に、トランジスタ素子２４５を取り付けるアダプタを設けることもできる。
図１５、図１６に、アダプタ２６１の斜視図と断面図を示す。
【００６７】
アダプタ２６１は、断面視コの字形状を成しており、上壁部２６３および下壁部２６４の端部が側壁部２６５によって連結されている。そして、３つの壁に囲まれた方形状の凹部２６７にトランジスタ素子２４５を挟み込むことができる。なお、図に示すように、トランジスタ素子２４５と上壁部２６３との間にゴム等の弾性部材を介装し、アダプタ２６１にトランジスタ素子２４５がしっかりと保持されるようにすることが望ましい。
【００６８】
また、アダプタ２６１には、下壁部２６４に複数の導電端子２６９が取り付けられている。導電端子２６９は、Ｕ字形状を成しており、下壁部２６４を上下から挟むように取り付けられている。この導電端子２６９は、はんだ付け等によって定電流回路部２４１の配線パターン２７１に接続され、トランジスタ素子２４５と配線パターン２７１とを導通させる。
【００６９】
このようなアダプタ２６１にトランジスタ素子２４５を取り付けることによって、よりスムーズにトランジスタ素子２４５を定電流回路から取り外すことができる。
なお、接着強度の小さい導電ペースト（例えば、銀ペースト）を使用して、アダプタ２６１にトランジスタ素子２４５を取り付けてもよい。また、接着強度の小さい導電ペーストを使用して、定電流回路部２４１に、トランジスタ素子２４５を取り付けることもできる。
【００７０】
［実施形態３］
本実施形態において、前記一方向クラッチ４８なしに給電路切断機構が構成される。
なお、本実施例の照明装置３０１は、上記実施形態１の照明装置１と共通する部分が多いため、同様の構成部品には実施形態１と同じ符号を付して説明を省略する。なお、実施形態１と同じ符号を付した構成部品には、形状や寸法が異なるが、機能が同じ構成部品も含まれる。照明装置３０１の被照射面側を「前面側」、その反対側を「背面側」と称する。
【００７１】
＜構成＞
図１７に、電球型の照明装置３０１の側面断面を示す。
照明装置３０１は、ＬＥＤモジュール１１と、ＬＥＤモジュール１１を点灯させる点灯回路３１３と、ＬＥＤモジュール１１及び点灯回路３１３が収容されたケース３１５と、ケース３１５に取り付けられた口金３１６と、結合解除時に給電路を切断する給電路切断機構３１７とを備える。
【００７２】
筐体たるケース３１５は、複数の構成部材として、照明装置１の背面側を覆うケース本体３２１（第２構成部材）と、ケース本体３２１に保持された支持板３２３（第１構成部材）と、照明装置１の前面側を覆うカバー部材３２５（第３構成部材）とを含む。
ケース本体３２１は、前面側に向かって広がる円錐台形状を成している。また、ケース本体３２１は、点灯回路１３を収容する収容部３３１と、収容部３３１の前面側に連なる枠部３３３とを含む。収容部３３１の背面側には、口金３１６が取り付けられている。その口金３１６は、電球用ソケットに取り付けられる。
【００７３】
枠部３３３の内周部分には、支持板３２３が接着材等によって固着されている。また、枠部３３３の前面側の端面に係合板部３３５が立設されている。係合板部３３５には、結合具を通すための結合用穴３３７が形成されている。
基台たる支持板３２３には、前面側にＬＥＤモジュール１１が取着され、背面側に点灯回路１３が取着されている。また、支持板３２３とＬＥＤモジュール１１との間には、ヒートシンク３４１が介設されている。
【００７４】
カバー部材３２５は、概ね球形状をなしており、背面側の開口端部３４３においてケース本体３２１の枠部３３３と接合されている。
図１８に、開口端部３４３に形成された係合部３４４を拡大して示す。係合部３４４には、上記係合板部３３５が挿入される挿入凹部３４５が形成されている。また、係合部３４４には、上記係合板部３３５の結合用穴３３７と対応する位置に、結合具を通す結合用穴３４７が形成されている。その結合用穴３３７、３４７に結合具たる結合ピン３５１が挿入され、ケース本体３２１とカバー部材３２５とが結合されている。
【００７５】
カバー部材３２５は、例えば、透光性樹脂又はガラス等の透光性の材料からなり、ＬＥＤモジュール１１の出力光を前面側に透過させる。また、カバー部材３２５の外表面は、梨地処理が施されている。
（ＬＥＤモジュール、点灯回路、配線）
ＬＥＤモジュール１１は前記実施形態１と同様である。
【００７６】
点灯回路３１３は、ＡＣ／ＤＣ変換機能と、電圧調整機能とを兼ね備えたものとされている。
点灯回路３１３は、配線部材たるリード線３６１によって口金３１６と接続され、交流電力の供給を受ける。また、点灯回路３１３には、出力される直流電力を供給する２つのリード線３６３ａ，ｂが接続されている。リード線３６３ａは、支持板３２３の穴を通り抜けてＬＥＤモジュール１１に接続されている。一方、リード線３６３ｂは、給電路切断機構３１７およびリード線３６３ｃを経由してＬＥＤモジュール１１に接続されている。
【００７７】
以上の構成により、照明装置３０１は、口金３１６に電力が供給されると点灯する。
（給電路切断機構）
給電路切断機構３１７は、給電路のうちの切断の対象となる部分である切断対象部３７１と、結合ピン３５１と切断対象部３７１とを連結する紐部材３７３とを含む。
（切断対象部について）
切断対象部３７１は、第１、第２導電端子３８１ａ，ｂを備えている。第１導電端子３８１ａは、支持板３２３と直交する方向に延び、支持板３２３を貫通して設けられている。そして、支持板３２３の背面側においてリード線３６３ｂと接続されている。また、第１導電端子３８１ａのうち、支持板３２３の前面側に突出した接続部３８３において、第２導電端子３８１ｂと接触によって導通させられている。その接続部３８３は、先端部において紐部材３７３に連結されている。接続部３８３の支持板３２３付近には、切欠き３８５によって脆弱部が形成され、切断容易にされている。なお、第１導電端子３８１ａのうち、接続部３８３以外の部分が前記「端子部」を構成している。
【００７８】
第２導電端子３８１ｂは、第１導電端子３８１ａの接続部３８３と面接触させられ、第１導電端子３８１ａと電気的に接続されている。また、第２導電端子３８１ｂは、リード線３６３ｃと接続されている。この第２導電端子３８１ｂが前記「端子部」を構成している。
なお、第１、第２導電端子３８１ａ，ｂと支持板３２３との間は、電気的に絶縁されている。
【００７９】
（結合ピンについて）
図１９（ａ），（ｂ）に、結合ピン３５１の断面図、正面図を示す。
結合ピン３５１は、根元側が金属材料から成る基部４０１とされ、先端側が樹脂材料から成る係止部４０３とされている。基部４０１は、円筒状を成しており、円筒部４０５と外径が大きくされた頭部４０７とを含む。頭部４０７の円筒部４０５側の面４０９は、外周側が端部に近づく向きに傾斜させられている。この結合ピン３５１は、基部４０１によって係合部３４４と係合板部３３５とが剪断方向にずれることを阻止することで、ケース本体３２１とカバー部材３２５とを結合している。
【００８０】
係止部４０３は、中央の円板部４１１と、円板部４１１から基部４０１側に突設された円筒状の突設部４１３と、円板部４１１から先端側に突設された爪部４１５とを備えている。また、突設部４１３の基端部（円板部４１１付近）には、外周に溝４１７が形成され、突設部４１３と円板部４１１との間の強度が弱くされ、破断し易くされている。
係止部４０３には、円板部４１１と突設部４１３とを軸方向に貫通する貫通穴４２１が形成されている。
【００８１】
突設部４１３は、基部４０１の貫通穴４２３に挿入され、接着等によって基部４０１と接合されている。そして、係止部４０３の貫通穴４２１と基部４０１の貫通穴４２３とは連通させられている。なお、突設部４１３と基部４０１とを螺合によって接合することもできる。
係止部４０３は、爪部４１５によって開口端部３４３の内周壁面４２４に係合し、結合ピン３５１が結合用穴３３７、３４７から抜けないように係止している。
【００８２】
図１７に示された２つの結合ピン３５１ａ，ｂの一方の結合ピン３５１ａでは、貫通穴４２１、４２３に紐部材３７３が挿入されている。また、紐部材３７３の端部が、基部４０１の貫通穴４２３に封入された栓４２５によって固定されている。なお、接着等、他の方法によって紐部材３７３を基部４０１に固着してもよい。
２つの結合ピン３５１ａ，ｂの構造は同じにされており、紐部材３７３と連結されているか否かが異なる。そして、紐部材３７３と連結された結合ピン３５１ａは「特定結合具」とされ、紐部材３７３と連結されていない結合ピン３５１ｂは「一般結合具」とされる。
【００８３】
＜作動＞
（結合解除について）
本実施形態における照明装置１の解体時の作動について説明する。
照明装置３０１を解体する場合、ドライバー、ペンチ等によって、結合ピン３５１が引き抜かれる（解除動作）。その際、結合ピン３５１は、係止部４０３が破断し、基部４０１だけが外れるようにされている。つまり、係止部４０３は、溝４１７によって脆弱にされた部分で比較的容易に破断するため、基部４０１だけ（正確には突設部４１３も付随的に外れる）が外れるのである。そして、係止部４０３は、結合用穴３４７内に残留する。なお、結合解除にドライバーが用いられる場合、結合ピン３５１の頭部４０７の傾斜させられた面４０９によって形成される隙間にドライバーの先端を差し込んで抉ることで、容易に結合ピン３５１を引き抜くことができる。
【００８４】
基部４０１が結合用穴３３７、３４７から引き抜かれると、ケース本体３２１とカバー部材３２５との結合が解除される。なお、本実施形態において、２つの結合ピン３５１ａ，ｂが取り付けられているため、両方の基部４０１を外す必要がある。
ここで、結合ピン３５１ａが引き抜かれた場合について説明する。
結合ピン３５１ａの基部４０１ａには、紐部材３７３の一方の端部が接合されている。そのため、基部４０１ａが引き抜かれる際に、紐部材３７３が引っ張られる。また、紐部材３７３の他方の端部は、第１導電端子３８１ａの接続部３８３に接合されている。その結果、紐部材３７３によって接続部３８３が第１導電端子３８１ａから切り離される。なお、前述のように第１導電端子３８１ａには切欠き３８５が形成され、また、接続部３８３と第２導電端子３８１ｂとは接触させられているだけなので、比較的容易に接続部３８３を切り離すことができる。
【００８５】
すなわち、結合ピン３５１ａによる結合の解除操作に連動して給電路が切断され、ＬＥＤモジュール１１は点灯しなくなる。また、結合ピン３５１ａの基部４０１ａを結合用穴３３７、３４７に再度挿入したとしても、導通は復活しない。
さらに、切断対象部３７１の修理を行ったとしても、結合ピン３５１ａが破断していることから、基部４０１を結合用穴３３７、３４７に挿入した状態を維持する何らかの手段が必要となる。
【００８６】
（組立について）
ケース本体３２１とカバー部材３２５とを結合する手順について説明する。
ケース本体３２１の係合板部３３５をカバー部材３２５の挿入凹部３４５に挿入する。そして、結合ピン３５１ａが挿入される結合用穴３３７、３４７から紐部材３７３の端部を引き出す。その際には、針金の先をＵ字状に曲げたもの等、適宜の器具を使用することができる。また、係合板部３３５を挿入凹部３４５に挿入する前に、紐部材３７３を結合用穴３４７の内壁（係合板部３３５よりも内周側）に接着テープ等によって仮止めしておいてもよい。
【００８７】
引き出した紐部材３７３を、結合ピン３５１ａの先端側から貫通穴４２１、４２３に挿入し、基端側から引き出す。紐部材３７３が結合ピン３５１ａと結合用穴３３７、３４７の内壁との間に挟まらないようにして、結合ピン３５１ａを結合用穴３３７、３４７に挿入し、爪部４１５を内周壁面４２４に係合させる。紐部材３７３を弛みがなくなるまで引き出し、結合ピン３５１ａの基端側から貫通穴４２３に栓４２５を封入して紐部材３７３を固定した後、余分な紐部材３７３を切り取る。なお、紐部材３７３を接着により貫通穴４２３の内周面に固定してもよい。
【００８８】
このように、照明装置３０１は容易に組み立てることができる。
なお、結合ピン３５１の貫通穴４２１、４２３に紐部材３７３を通すことにより、結合時に結合ピン３５１と紐部材３７３との相対移動を許容し、結合解除時に結合ピン３５１と紐部材３７３とを係合させることができるのである。つまり、上記貫通穴４２１、４２３は紐部材３７３を通すための通路として機能している。
【００８９】
＜作用効果その他＞
照明装置３０１は、リサイクル時の解体を容易にしつつ、解体時に給電路を切断するとともに、結合ピン３５１ａが破断することで、再度組み立てて使用することを困難にし、不必要な解体を抑止することができる。
本実施形態において、栓４２５と、栓４２５によって基部４０１に固定された紐部材３７３の端部とによって、前記「動作部」が構成されている。また、紐部材３７３によって、前記「連結部」が構成されている。
【００９０】
［実施形態４］
前記全ての実施形態において、ケースを組み立てるための結合具が外された場合に給電路が切断されていたが、ＬＥＤモジュール１１をケースに取り付けるための結合具が外された場合に給電路を切断することもできる。また、前記全ての実施形態において、紐部材によって給電路の一部を構成する部品を引っ張ることで切断がなされていたが、異なる部材を用いることもできる。
【００９１】
なお、本実施形態において、給電路切断機構以外は、前記実施形態１、３と同様の構成であるため、大部分の図示および説明を省略する。なお、前記実施形態１と同じ符号を付していても形状や大きさが異なる場合がある。ＬＥＤモジュール１１の被照射面側を「前面側」、その反対側を「背面側」と称する。
＜構成＞
図２０、図２１に、ＬＥＤモジュール１１と、その取り付け具と、給電路切断機構５０１とを、それぞれ平面図、側面断面図で示す。なお、ＬＥＤモジュール１１の接続端子５８には、例えば、リード線７１が接続されるが、図示を省略する。
【００９２】
ＬＥＤモジュール１１は、基板５１の四辺を固定する４つの押さえ部材５０３ａ〜ｄと、各押さえ部材５０３を支持板２３に結合するねじ部材５０５ａ〜ｄとによって、支持板５０７に取り付けられている。なお、支持板５０７は、前記支持板２３（あるいは３２３）に相当するものである。また、ＬＥＤモジュール１１と支持板５０７との間に板状の部材が介設されているが、これについては後述する。
【００９３】
押さえ部材５０３は、ねじ部材５０５によって固定される平板部５１１と、平板部５１１の端部に立設された「逆Ｌ字部５１３」とを有する。逆Ｌ字部５１３は、基板５１の側面および上面（ＬＥＤ素子５５が設けられている方の主面）と当接することでＬＥＤモジュール１１を固定している。
なお、押さえ部材５０３ｂ〜ｄのそれぞれと、２つのねじ部材５０５とによって、「一般結合具」が構成されている。また、押さえ部材５０３ａとねじ部材５０５ａとによって「特定結合具」が構成されている。
【００９４】
（給電路切断機構）
給電路切断機構５０１は、ＬＥＤモジュール１１と支持板５０７との間に介設された介設板５２１と、支持板５０７に埋設された２つの弾性力蓄積部５２３とを備えている。
（介設板）
介設板５２１は、回動板５３１と、固定板５３３と、それらを回動可能に連結する蝶番５３５とを含む。
【００９５】
回動板５３１には、ねじ部材５０５ａを通す貫通穴５４１が形成されている。その貫通穴５４１を通るねじ部材５０５ａによって、回動板５３１は、押さえ部材５０３ａとともに支持板５０７に結合されている。すなわち、回動板５３１は、ＬＥＤモジュール１１とともに特定結合具によって支持板５０７に結合されているのである。また、回動板５３１の支持板５０７側の面には、２つの弾性力蓄積部５２３と当接する凹面状の当接部５４３が形成されている。
【００９６】
固定板５３３には、６つのねじ部材５０５ｂ〜ｄをそれぞれ通す６つの貫通穴５５１が形成されている。その貫通穴５５１を通るねじ部材５０５ｂ〜ｄによって、固定板５３３は、押さえ部材５０３ｂ〜ｄとともに支持板５０７に結合されている。本実施形態において、固定板５３３は、一般結合具によってＬＥＤモジュール１１とともに支持板５０７に固定されており、結合具を少なくて済む。しかし、固定板５３３をＬＥＤモジュール１１とは別個に支持板５０７に固定してもよい。
【００９７】
連結部材たる蝶番５３５は、回動板５３１と固定板５３３とを、それらよりもＬＥＤモジュール１１側に位置し、それらの境界線に沿う回転軸線周りに回動可能に連結している。
なお、回動板５３１が前記「第１板状部材」を構成し、固定板３５３が前記「第２板状部材」を構成している。
【００９８】
（弾性力蓄積部）
弾性力蓄積部５２３は、一端部が閉塞された円筒状のシリンダ５６１と、シリンダ５６１内に収容されたピストン部材５６３と、ピストン部材５６３を押し出す向きに弾性力を発生させるばね部材５６５とを備えている。
シリンダ５６１は、支持板５０７に形成された貫通穴５６７に挿入され、回動板５３１とは反対側への移動が不能にされた状態で設けられている。ピストン部材５６３は、回動板５３１側が閉塞された円筒形状を成しており、内部が空洞にされている。また、回動板５３１と当接する部分が凸面状にされている。
【００９９】
ピストン部材５６３の内部には、ばね部材５６５が収容されている。このばね部材５６５は、圧縮コイルスプリングとされ、回動板５３１が結合された状態において、ピストン部材５６３によって圧縮変形させられ、弾性力による復元力を蓄積した状態にされている。この復元力によってピストン部材５６３を回動板５３１側に移動させ、介設板５２１をＬＥＤモジュール１１側に折り曲げる向きに付勢するのである。
【０１００】
（被覆部材）
図２２に、被覆部材５７１を示す。
被覆部材５７１は、各押さえ部材５０３と、ねじ部材５０５ｂ〜ｄと、蝶番５３５とを覆うように設けられている。そして、被覆部材５７１は、中央部が開口しており、ねじ部材５０５ａと、ＬＥＤモジュール１１とが露出させられている。この被覆部材５７１により、ＬＥＤモジュール１１が取り外される場合に、最初にねじ部材５０５ａの結合解除操作が行われることとなる。
【０１０１】
なお、被覆部材５７１は、押さえ部材５０３ｄと係合する係合部５７３と、ねじ部材５０５ａによって結合される被結合部５７５とを備えている。被結合部５７５には、ねじ部材５０５ａを通す貫通穴が形成されている。そして、被覆部材５７１は、係合部５７３と被結合部５７５とにおいて、介設板５２１上に取り付けられている。
（ＬＥＤモジュール）
ＬＥＤモジュール１１は、実施形態１と同様のものに、２つの切欠き５８１が形成されている。なお、図２０〜図２２には、基板５１の側部（蝶番５３５と隣合う部分）の切欠き５８１が示されているが、図２３に示すように、基板５１の背面（支持板５０７側の主面）にも、２つの切欠き５８１を結ぶ直線上にＶカット５８３（Ｖ字状の切り込み）が形成されている。そして、ＬＥＤモジュール１１が介設板５２１上に固定された場合に、これら切欠き５８１およびＶカット５８３が回動板５３１と固定板５３３との境界線上に位置するようにされている。
【０１０２】
これら切欠き５８１等が形成された部分は、脆弱であり、基板５１が割れやすくされている。すなわち、基板５１が破断しやすくされているのである。
なお、ＬＥＤモジュール１１のうち、回動板５３１上に位置した部分が前記「第１部分」を構成し、固定板５３３上に位置した部分が前記「第２部分」を構成している。また、第１部分と第２部分との境界に、切欠き５８１等が形成されている。
【０１０３】
ＬＥＤモジュール１１の基板５１は、前述のように金属層（アルミニウム製等）上に絶縁層（例えば、樹脂製）が積層されたものとされているが、それらに限定されるわけではない。基板５１を、例えば、アルミナや窒化アルミ製のセラミック基板とすることや、ガラスエポキシ基板とすることができる。
＜作動＞
（結合解除について）
本実施形態における照明装置のＬＥＤモジュール１１の取り外し時の作動について説明する。なお、図２３（ａ）、（ｂ）に、押さえ部材５０３ｂ、ｃと、ねじ部材５０５ｂ、ｃとの図示を省略して、作動の前後の状態を示す。
【０１０４】
ＬＥＤモジュール１１が取り外される場合、ドライバー等によって、ねじ部材５０５ａが結合解除方向に回転させられる（結合解除操作）。この結合解除操作によってねじ部材５０５ａが、支持板５０７から離間する向き（離脱方向）に移動させられる。回動板５３１は、ねじ部材５０５ａの移動に伴い、ピストン部材５６３によって回動させられる。このとき、回動板５３１は、蝶番５３５の連結軸を中心にして、蝶番５３５とは反対側の端部から起き上がるようにして回動する。その結果、回動板５３１上に設置されたＬＥＤモジュール１１の基板５１が折れ曲がるように変形させられる。
【０１０５】
さらに、ねじ部材５０５ａが結合解除方向に回転させられて離脱方向に移動させられると、ＬＥＤモジュール１１の基板５１は切欠き５８１等を始点とした破断面が広がって割れてしまう。この結果、基板５１上の配線パターンが切断され、ＬＥＤモジュール１１は点灯不能にされる。
以上のように、弾性力蓄積部５２３によって付勢される回動板５３１が、ねじ部材５０５ａと当接することによって機械的に連係させられており、給電路切断機構５０１はねじ部材５０５ａの離脱方向への移動（解除動作）に連動して作動して、給電路たる配線パターンを切断するのである
なお、回動板５３１の貫通穴５４１、押さえ部材５０３ａの貫通穴５８５、および、被覆部材５７１の被結合部５７５の貫通穴の断面形状（支持板５０７と平行な断面）は、回動板５３１と固定板５３３とが並ぶ方向に長くされた長穴とされている。その長穴形状により、回動板５３１が回動させられた場合でも、ねじ部材５０５ａと上記回動板５３１等が干渉しないようにされている。
【０１０６】
（取り付けについて）
ＬＥＤモジュール１１の取り付け方法を説明する。まず、介設板５２１上に押さえ部材５０３ａと、被覆部材５７１とを載置し、回動板５３１の貫通穴５４１等にねじ部材５０５ａを通した状態にする。それらを支持板５０７に近づけてゆき、回動板５３１の当接部５４３がピストン部材５６３に接触させる。そして、回動板５３１によってピストン部材５６３をシリンダ５６１内に押し込んで、ばね部材５６５を圧縮させる。この状態を、治具あるいは手によって回動板５３１を押さえることで維持しつつ、ねじ部材５０５ａを結合方向に回転させて仮止めを行う。
【０１０７】
さらに、ＬＥＤモジュール１１を介設板５２１上に載せ、押さえ部材５０３ｂ〜ｄを任意の順序でねじ部材５０５ｂ〜ｄによって仮止めする。なお、被覆部材５７１は、比較的容易に弾性変形できるものとされており、ねじ部材５０５ｂ〜ｄの仮止めを行う際には、被覆部材５７１の押さえ部材５０３ｄ側の部分を上方（支持板５０７から離間する方向）に捲り上げて作業を行うことができるようにされている。
【０１０８】
仮止め作業の後には、ＬＥＤモジュール１１と各押さえ部材５０３との位置関係を調整し、各ねじ部材５０５を所定のトルクで絞め込む。なお、ねじ部材５０５ａは、最後に絞め込むのが好ましく、その前には、被覆部材５７１の係合部５７３を押さえ部材５０３ｄに係合させておく。そして、押さえ部材５０３ａおよび被覆部材５７１の位置を調整してからねじ部材５０５ａを絞め込む。
【０１０９】
以上でＬＥＤモジュール１１の取り付けが完了する。なお、リード線を接続端子５８に接続する作業は、例えば、ＬＥＤモジュール１１の取り付け後に行うことができる。
＜作用効果＞
本実施形態の照明装置は、リサイクル時においてＬＥＤモジュール１１を容易に取り外すことができる。また、不必要にＬＥＤモジュール１１が取り外された場合には、給電路切断機構５０１によってＬＥＤモジュール１１の基板５１を破断させ、給電路を切断することでＬＥＤモジュール１１を使用できなくする。これにより、不必要にＬＥＤモジュール１１が取り外されることを抑止することができる。また、基板５１を破断させることで、寿命が短くなったＬＥＤモジュール１１の流用を防止することもできる。
【０１１０】
＜変形例等＞
弾性力蓄積部５２３は、ばね部材として、圧縮コイルスプリング以外のもの、例えば、板ばね等を使用することができる。また、給電路切断機構５０１に設けられる弾性力蓄積部５２３を１つにすることもできる。
ＬＥＤモジュール１１に形成される切欠き５８１、Ｖカット５８３等の数や深さ等は、基板５１の強度やばね部材５６５の弾性力の大きさ等に応じて変更することができる。また、基板５１に貫通穴を設けて、基板５１の強度を低くすることもできる。
【０１１１】
［その他］
（１）発明の趣旨を逸脱しない範囲で、前記４つの実施形態およびそれらの変形例における各構成要素を任意に組み合わせてもよい。
（２）前記全ての実施形態および変形例において、ＬＥＤモジュールを、有機ＥＬ素子を有する発光モジュールに変更することができる。
【産業上の利用可能性】
【０１１２】
本発明の照明装置は、固体発光素子を光源とする照明装置に利用できる。
【符号の説明】
【０１１３】
＜実施形態１＞
１    照明器具
１１    ＬＥＤモジュール
１３    点灯回路
１５    ケース
１７    給電路切断機構
２１    ケース本体
２３    支持板
２５    カバー部材
４６    ねじ部材
４８    一方向クラッチ
５５    ＬＥＤ素子
６１    ＡＣ／ＤＣ変換部
６３    電圧制御部
６５    電源ケーブル
６７    リード線
７１    リード線
１０１    切断対象部
１０５    紐部材
１１１    導電片
１１３    導電ピン
１２３    端子部
１４１    内周回転子
１４３    外周回転子
１７１    一方向クラッチ
＜実施形態２＞
２０１    照明器具
２１１    ＬＥＤモジュール
２１７    給電路切断機構
２４１    定電流回路部
２４５    トランジスタ素子
２６１    アダプタ
＜実施形態３＞
３０１    照明器具
３１５    ケース
３１６    口金
３１７    給電路切断機構
３５１    結合ピン
３６１    リード線
３７１    切断対象部
３７３    紐部材
３８１ａ  導電端子
３８１ｂ  導電端子
３８３    接続部
＜実施形態４＞
５０１    給電路切断機構
５０３    押さえ部材
５０５    ねじ部材
５０７    支持板
５２１    介設板
５２３    弾性力蓄積部
５３１    回動板
５３３    固定板
５３５    蝶番
５６５    ばね部材
５７１    被覆部材
５８３    Ｖカット
【図１】
2011060579.tif 000003
【図２】
2011060579.tif 000004
【図３】
2011060579.tif 000005
【図４】
2011060579.tif 000006
【図５】
2011060579.tif 000007
【図６】
2011060579.tif 000008
【図７】
2011060579.tif 000009
【図８】
2011060579.tif 000010
【図９】
2011060579.tif 000011
【図１０】
2011060579.tif 000012
【図１１】
2011060579.tif 000013
【図１２】
2011060579.tif 000014
【図１３】
2011060579.tif 000015
【図１４】
2011060579.tif 000016
【図１５】
2011060579.tif 000017
【図１６】
2011060579.tif 000018
【図１７】
2011060579.tif 000019
【図１８】
2011060579.tif 000020
【図１９】
2011060579.tif 000021
【図２０】
2011060579.tif 000022
【図２１】
2011060579.tif 000023
【図２２】
2011060579.tif 000024
【図２３】
2011060579.tif 000025
【図２４】
2011060579.tif 000026